【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
電子的な予約依頼を作り、その予約依頼をシステムに登録した任意のエンティティの１つに提示し、前記任意のエンティティの１つからその電子的な予約依頼の確認を受信することをユーザーに可能とする共通輸送業者インターフェースを有することを特徴とする共通輸送業者システム。
【請求項２】
電子的予約依頼が共通輸送業者システムに記憶されたテンプレートから作られ、このテンプレートが電子的予約依頼の作成前にユーザーによって作られることを特徴とする請求項１に記載のシステム。
【請求項３】
電子的予約依頼が、共通輸送業者システムに前もって記憶されたドラフトされた電子的予約から作られ、前もってドラフトされた電子的予約が電子的予約依頼を作る前にそのユーザー又は任意の他のユーザーによって作られたことを特徴とする請求項１に記載のシステム。
【請求項４】
前もってドラフトされた電子的予約は、そのユーザー又は任意の他のユーザーが電子的予約依頼を作る前のシステムと登録されたエンティティの少なくとも１つによって確認された電子的確認済み予約依頼であることを特徴とする請求項３に記載のシステム。
【請求項５】
電子的予約依頼は、ユーザーが輸送すべきコンテナを要求できる区画を備え、コンテナが国内出発場所から第１の船舶へ輸送され、この第１の船舶に船積みされ、この第１の船舶である場所まで輸送され、この第１の船舶から陸揚げされ、行き先へ発送されることを特徴とする請求項１に記載のシステム。
【請求項６】
ユーザー及び登録されたエンティティは、ユーザーが電子的予約依頼を提出する前に輸送料を取り決めることを特徴とする請求項１に記載のシステム。
【請求項７】
ユーザー及び登録されたエンティティは、ユーザーが電子的予約依頼を提出する前には決して輸送料を取り決めないことを特徴とする請求項１に記載のシステム。
【請求項８】
ユーザーが、登録されたエンティティの新規の顧客であることを特徴とする請求項７に記載のシステム。
【請求項９】
電子的予約依頼を作り、その電子的予約依頼をシステムに登録した任意のエンティティに提出し、そして任意のエンティティからその電子的予約依頼の確認を受信することをユーザーに可能とする共通輸送業者インターフェースを有し、
登録したエンティティからユーザーへの確認及び登録したエンティティデータに応じて電子的出来事通知メッセージを発生することを特徴とする共通輸送業者システム。
【請求項１０】
ユーザーに出来事を通知すべき時をユーザーが決めることを特徴とする請求項９に記載のシステム。
【請求項１１】
出来事が生じないことであることを特徴とする請求項１０に記載のシステム。
【請求項１２】
予め定めた時間が経過して出来事が起こらなくなった後に生じないことをユーザーに通知し、ユーザーが前記予め定めた時間間隔を決めることを特徴とする請求項１１に記載の共通輸送業者システム。
【請求項１３】
予約を受信する第１のコンピュータシステムと、この第１のコンピュータシステムから離れている第２のコンピュータシステムとを有し、
前記第１のコンピュータシステムは前記第１のコンピュータシステムでなされた予約に関する予約情報を送信する出力を含み、
前記第２のコンピュータシステムは前記第１のコンピュータシステムからの予約情報を受信する入力を含み、前記第２のコンピュータシステムは更に、予約をした顧客に前記予約情報を出力するための出力を含むことを特徴とする、情報にアクセスするためのシステム。
【請求項１４】
前記第１のコンピュータシステムと前記第２のコンピュータシステムの間の通信経路は、インターネットであることを特徴とする請求項１３記載の情報にアクセスするためのシステム。
【請求項１５】
前記第１のコンピュータシステムと前記第２のコンピュータシステムの間の通信経路は、電子データ交換（ＥＤＩ）であることを特徴とする請求項１３記載の情報にアクセスするためのシステム。
【請求項１６】
前記顧客は、前記顧客のコンピュータシステムで走らせるアプリケーションを通して予約情報を見ることが可能であることを特徴とする請求項１３記載の情報にアクセスするためのシステム。
【請求項１７】
第１のコンピュータからの予約情報を第２の予約システムで受信し、前記第１の予約システムの顧客に前記予約情報を伝送するステップを有することを特徴とする輸送処理に関連して予約情報を交換する方法。
【請求項１８】
前記第１のコンピュータ予約システムと前記コンピュータ予約システムは、電子データ交換（ＥＤＩ）を経由して情報交換を行うことを特徴とする請求項１７記載の方法。
【請求項１９】
前記第１のコンピュータ予約システムのユーザにより予約に関する前記第１の第１のコンピュータ予約システムから追加的な予約情報を受信し、前記第１のコンピュータ予約システムに追加的な予約情報を送信するステップを更に有することを特徴とする請求項１７記載の方法。
【請求項２０】
前記第３のコンピュータ予約システムのユーザの予約に関して第３のコンピュータ予約システムから追加的予約情報を受信し、前記第３のコンピュータ予約システムの前記ユーザに前記追加的予約情報を送信するステップを更に有することを特徴とする請求項１７記載の方法。
【請求項２１】
前記第１のコンピュータ予約システムのユーザは、前記第１の予約システムの顧客であることを特徴とする請求項１８記載の方法。
【請求項２２】
前記第１のコンピュータ予約システムのユーザは、輸送処理の１パーティであることを特徴とする請求項１８記載の方法。
【請求項２３】
ユーザから特定情報を受信する第１の領域と、前記特定情報のマッチング取った結果を表示する第２の領域とを有し、前記特定情報は予約に関係があり、前記結果は前記予約に関する輸送情報を含んでいるユーザインターフェースであって、
コンピュータシステムは前記輸送業者から前記結果を受信し、前記結果は前記輸送業者システムからユーザに表示されることを特徴とする前記輸送情報は輸送業者から発する輸送情報を得るユーザインターフェース。
【請求項２４】
前記第１の領域は更に第３の領域を含み、前記第３の領域は、予約番号、積荷番号の勘定、コンテナ番号、予約船舶識別子、予約航海識別子、最新船舶識別子、最新航海識別子、カーゴ記述、予約状態情報の少なくとも１つを受信するためのものであることを特徴とする請求項２３記載のユーザインターフェース。
【請求項２５】
前記第１の領域は更に第３の領域を含み、前記第３の領域は、予約生成データ、輸送業者、カーゴタイプ、及び出来事の少なくとも１つを受信するためのものであることを特徴とする請求項２３記載のユーザインターフェース。
【請求項２６】
前記第１の領域は更に第３の領域を含み、前記第３の領域はローカル情報を受信するものであることを特徴とする請求項２３記載のユーザインターフェース。
【請求項２７】
前記ユーザは、前記コンピュータシステムにより生成された前記ユーザインターフェースにアクセスし、多数の輸送業者からの予約情報にアクセスすることを特徴とする請求項２３記載のユーザインターフェース。
【請求項２８】
輸送業者からの予約情報を受信する入力と、ユーザによって供給される領域に基づき前記情報を検索するプロセッサと、前記予約情報に関する情報を前記ユーザに送信する出力とを有する、１又はそれ以上の輸送業者からの予約情報を受信するコンピュータシステム。
【請求項２９】
予約要求を生成する顧客と、前記顧客からの前記予約要求を受信し、その予約要求を確認しそれによって予約を生成する、輸送業者と、前記予約に関し前記輸送業者から情報を受信し、前記予約情報を前記顧客に供給する荷送り調整者とを有するコンピュータネットワーク。
【請求項３０】
前記顧客は、１つ又はそれ以上の電話通信によりあるいは１つ又はそれ以上のファクシミリ通信によりあるいはインターネットを介して、前記輸送業者と前記予約を生成することを特徴とする請求項２８のコンピュータネットワーク。
【請求項３１】
前記輸送業者は、インターネットと電子データ交換の少なくとも１つによって前記荷送り調整者に、前記予約に関する情報を送信することを特徴とする請求項２９のコンピュータネットワーク。
【請求項３２】
前記荷送り調整者は、インターネットと電子データ交換の少なくとも１つによって前記顧客に、前記予約に関する情報を送信することを特徴とする請求項２９のコンピュータネットワーク。
【請求項３３】
第１のコンピュータシステムに予約されていない電子的予約についての情報のための顧客からの要求を第１のコンピュータシステムで受信し、情報のための要求に応答して第２のコンピュータシステムからの電子的予約についての情報を受信し、第１のコンピュータシステムを経由して顧客に電子的予約についての情報を回答することを特徴とする、予約情報を顧客に表示する方法。
【請求項３４】
第１のコンピュータシステムは、共有輸送業者システムであり、第２のコンピュータシステムは、輸送業者のウェブサイトであることを特徴とする請求項３３記載の方法。
【請求項３５】
電子的予約は、第２のコンピュータシステムで予約されることを特徴とする請求項３３記載の方法。
【請求項３６】
更に、受信ステップに先立って、顧客から予約要求を受信し、その予約要求を第２のコンピュータシステムに入れることを特徴とする請求項３５記載の方法。
【請求項３７】
顧客からの第１の予約要求を第１のコンピュータシステムで受信し、第１の予約要求に応答して、顧客のために第１の電子的予約を生成し、第１の電子的予約に関連する情報を第２のコンピュータシステムに送ることを特徴とする、顧客に予約情報を表示する方法。
【請求項３８】
更に、第１の電子的予約に関連する要求を第２のコンピュータシステムで受信し、第１の電子的予約に関連する要求に対して顧客に情報を送ることを特徴とする請求項３７記載の方法。
【請求項３９】
更に、第２のコンピュータシステムでの要求の受信に先立って、第２のコンピュータで顧客を登録することを特徴とする請求項３８記載の方法。
【請求項４０】
第１の電子的予約に関連する要求は第１の電子的予約を修正する要求であることを特徴とする請求項３８記載の方法。
【請求項４１】
更に、情報を送るに先立って、第１の電子的予約を修正することを特徴とする請求項４０記載の方法。
【請求項４２】
第１の電子的予約に関連する要求は第１の電子的予約に対して荷送り指示を供給する要求であることを特徴とする請求項３８記載の方法。
【請求項４３】
第１の電子的予約に関連する要求は、第１の電子的予約に対する積荷の勘定を受信する要求であることを特徴とする請求項３８記載の方法。
【請求項４４】
更に、第３のコンピュータシステムで顧客からの第２の予約要求を受信し、第２の予約要求に対して顧客のために第２の電子的予約を生成し、第２の電子的予約に関連する情報を第２のコンピュータシステムに送ることを特徴とする請求項３９記載の方法。
【請求項４５】
更に、第１の電子的予約と第２の電子的予約に関連する要求を、第２のコンピュータシステムで受信し、第１の電子的予約と第２の電子的予約に関連する要求に対して第１の電子的予約と第２の電子的予約に関連する顧客に情報を送ることを特徴とする請求項４４記載の方法。
【請求項４６】
更に、送付先にコンテナを配送するに先立って、第２の船舶にコンテナを積むことを特徴とする請求項５記載の方法。
【請求項４７】
送付先は、国内の送付先であることを特徴とする請求項４６記載の方法。